(57)【特許請求の範囲】
【請求項１】
音声出力手段、制御手段、複数の音声入力手段を備え、前記制御手段は前記音声入力手段から音声出力要求があると当該音声入力手段を前記音声出力手段に接続すると共に入力された音声信号を増幅して該音声出力手段に供給し、該音声出力手段から音声を出力する音声情報発生装置において、
前記音声入力手段から入力された音声データをＩＤ番号を付けて録音する録音手段、及び該ＩＤ番号を登録する待ち行列を設け、
前記制御手段が音声入力手段からの音声出力要求の処理中に別の前記音声入力手段から音声出力要求が発生した場合、その音声データを前記録音手段にＩＤ番号を付して順次録音すると共に、該ＩＤ番号を前記待ち行列に順次登録し、前記音声出力手段からの現在出力中の音声出力が終了すると自動的に前記待ち行列に登録したＩＤ番号を登録順に読み出すと共に前記録音手段に録音した該ＩＤ番号を付した音声データを読み出し、前記制御手段を介して前記音声出力手段に供給して録音再生し、該録音再生の終了した前記音声データを前記録音手段から順次削除すると共に、前記待ち行列に登録したＩＤ番号を順次削除し、更に前記音声入力手段からキャンセルのＩＤ番号が入力された場合、前記録音手段から当該ＩＤ番号を付した音声データを削除すると共に、前記待ち行列に登録したＩＤ番号を削除する録音再生制御手段を設けたことを特徴とする音声情報再生装置。
【発明の詳細な説明】
【０００１】
【発明の属する技術分野】
本発明は音声情報を待ち行列に登録し順次再生することによりマンマシンインタフェ−スの効率を向上させた音声情報発生装置に関するものである。
【０００２】
【従来の技術】
従来より、不特定多数の人が集まる会場等で不特定多数の人又は特定の人物に連絡する方法の一つとして、音声情報発生装置を使用して音声で連絡する方法がある。図５はボタン電話装置に、音声を出力するペ−ジングスピ−カ２及び音声信号の増幅と接続を行なうペ−ジング回路１−２からなる音声情報発生装置を設け、電話機３−１、電話機３−２、・・・からダイヤルで指定して接続し使用する装置の構成を示す図である。この機能をペ−ジング機能と云う。
【０００３】
ボタン電話装置の主装置１は中央制御部１−１、ペ−ジング回路１−２、通話スイッチ系回路１−３、電話機制御回路１−４及び局線系処理回路１−５を具備し、ペ−ジング回路１−２にはペ−ジングスピ−カ２が接続され、電話機制御回路１−４には複数の電話機３−１、電話機３−２、・・・が接続され、局線系処理回路１−５には局線４が接続されている。
【０００４】
中央制御部１−１はＣＰＵ（中央処理装置）１−１−１、制御プログラムを格納するＲＯＭ（リ−ド・オンリ−・メモリ）１−１−２、必要なデ−タを格納するＲＡＭ（ランダム・アクセス・メモリ）１−１−３等を具備している。
【０００５】
電話機３−１からダイヤル（図では省略）が押下されるとダイヤル信号は電話機制御回路１−４を通り中央制御部１−１へ送られる。中央制御部１−１ではダイヤル信号を解析し、局線４への信号であれば通話スイッチ系回路１−３を切り替え、局線系処理系回路１−５を介して局線４へ接続し通常の通話が行なわれる。ダイヤルでペ−ジング機能を指定した場合、中央制御部１−１は通話スイッチ系回路１−３を切り替え、ペ−ジング回路１−２を介してペ−ジングスピ−カ２を接続し電話機３−１から使用できる状態にする。
【０００６】
上記例は音声情報発生装置をボタン電話装置に組み込んで使用する例であるが、単独で使用する場合もある。
【０００７】
【発明が解決しようとする課題】
しかしながら、従来の方法ではペ−ジング機能が動作中は他の電話機からペ−ジング操作を行なうことができない。従って、現在使用している人が終了するのを待って改めてペ−ジング操作を行なわなければならないので使い勝手が悪く、マンマシンインタフェ−スの効率が悪いと云う問題があった。
【０００８】
本発明は上述の点に鑑みてなされたもので、上記問題点を除去する為に待ち行列を設け、音声デ−タを録音登録し自動的に順次再生する音声情報発生装置を提供することを目的とする。
【０００９】
【課題を解決するための手段】
上記課題を解決するため本発明は、音声出力手段、制御手段、複数の音声入力手段を備え、制御手段は音声入力手段から音声出力要求があると当該音声入力手段を音声出力手段に接続すると共に入力された音声信号を増幅して該音声出力手段に供給し、該音声出力手段から音声を出力する音声情報発生装置において、音声入力手段から入力された音声データをＩＤ番号を付けて録音する録音手段、及び該ＩＤ番号を登録する待ち行列を設け、制御手段が音声入力手段からの音声出力要求の処理中に別の音声入力手段から音声出力要求が発生した場合、その音声データを前記録音手段にＩＤ番号を付して順次録音すると共に、該ＩＤ番号を待ち行列に順次登録し、音声出力手段からの現在出力中の音声出力が終了すると自動的に待ち行列に登録したＩＤ番号を登録順に読み出すと共に録音手段に録音した該ＩＤ番号を付した音声データを読み出し、制御手段を介して音声出力手段に供給して録音再生し、該録音再生の終了した音声データを録音手段から順次削除すると共に、待ち行列に登録したＩＤ番号を順次削除し、更に音声入力手段からキャンセルのＩＤ番号が入力された場合、録音手段から当該ＩＤ番号を付した音声データを削除すると共に、待ち行列に登録したＩＤ番号を削除する録音再生制御手段を設けたことを特徴とする。
【００１０】
【発明の実施の形態】
以下本発明の実施の形態を図面に基づいて詳細に説明する。図１は本発明の音声情報発生装置をボタン電話装置に適用した例を示す図である。図示するように、本発明の音声情報発生装置は従来の装置に複数の録音デ−タをＩＤ番号を付けて録音できる録音装置１−６を設け、中央制御部１−１のＲＡＭ（ランダム・アクセス・メモリ）１−１−３に前記ＩＤ番号を登録するキュ−（待ち行列）を設け、ＣＰＵ１−１−１からコマンドを送り録音及び再生を制御する装置である。同図で図５と同じ符号の回路は従来の技術で説明したので省略する。
【００１１】
図２はペ−ジングアクセスの処理フロ−を示す図である。図１及び図２に従ってペ−ジングアクセスの処理を説明する。電話機３−１（又は、電話機３−２・・・）からペ−ジングのダイヤルを行なった場合、中央制御部１−１は電話機制御回路１−４を介して信号を受信し、他の電話機からペ−ジングが行なわれていない状態（ペ−ジング回路１−２が使用可能な状態）であるか否かを判断し（ステップＳＴ２１）、ペ−ジングが行なわれていない場合は通話スイッチ回路系１−３にコマンドを送り、スイッチを動作させ該電話機をペ−ジング回路１−２を介してペ−ジングスピ−カ２に接続し使用可能な状態にする（ステップＳＴ２３）。以上は従来の通常処理機能である。
【００１２】
前記ステップＳＴ２１において、他の電話機からペ−ジングが行なわれていてペ−ジング回路１−２が使用中であれば、次に録音装置１−６の全チャンネルが使用中であるか否か（空きチャンネルがあるか否か）を判断し（ステップＳＴ２２）、通話スイッチ系回路１−３にコマンドを送りスイッチを動作させ該電話機を録音装置１−６に接続しＩＤ番号を付けて音声を録音すると共に、ＲＡＭ１−１−３のキュ−（待ち行列）に該ＩＤ番号を登録する（ステップＳＴ２４）。
【００１３】
前記ステップＳＴ２１において、他の電話機からペ−ジングが行なわれていてペ−ジング回路１−２が使用中で、前記ステップＳＴ２２で録音装置１−６の全チャンネルが使用中であれば、該電話機へビジ−ト−ンを送出し（ステップＳＴ２５）、ペ−ジングが使用中（ビジ−）である事を知らせる。
【００１４】
図３は音声の再生処理フロ−を示す図である。録音装置１−６から音声を再生するプログラムである。一件のペ−ジングが終了した時点で、なお、キュ−に登録されたＩＤ番号が残っているか否かを判断し（ステップＳＴ３１）、該ＩＤ番号が残っていれば、中央制御部１−１は録音装置１−６にコマンドを送り、該ＩＤ番号の付けられた音声デ−タを通話スイッチ系回路１−３、ペ−ジング回路１−２を介してペ−ジングスピ−カ２から出力させる（ステップＳＴ３２）。続いてキュ−の登録から該ＩＤ番号を削除する（ステップＳＴ３３）。
【００１５】
図４は録音をキャンセルする処理フローを示す図である。電話機からキャンセル音声データのＩＤ番号が入力され、キューに該ＩＤ番号が残っているか否かを判断し（ステップＳＴ４１）、該ＩＤ番号が残っていなければ既にページングスピーカ2から出力されているので該電話機にビジートーンを送出して知らせる（ステップＳＴ４４）。該ＩＤ番号が残っていれば録音装置１−６から該ＩＤ番号の付けられた音声データを削除すると共に（ステップＳＴ４２）、キューから該ＩＤ番号を削除する（ステップＳＴ４３）。
【００１６】
なお、上記実施例は音声情報発生装置をボタン電話装置に適用した例であるが、音声に関連する装置であれば何でもよく、また、単独でも使用できる。
【００１７】
以上述べたように、本実施例によれば音声デ−タを録音する録音装置を設け、キュ−（待ち行列）に登録し、自動的に順次再生する手段を設けたので、他の電話機からペ−ジング使用中でもその終了を待たずに音声を送り目的を達成することが出来る。従って、ペ−ジングのマンマシンインタフェ−スの効率を向上させる事が出来る。
【００１８】
【発明の効果】
以上説明したように本発明によれば、制御手段が音声入力手段からの音声出力要求の処理中に別の音声入力手段から音声出力要求が発生した場合、その音声データを録音手段にＩＤ番号を付して順次録音すると共に、ＩＤ番号を待ち行列に順次登録し、音声出力手段からの現在出力中の音声出力が終了すると自動的に待ち行列に登録したＩＤ番号を登録順に読み出すと共に録音手段に録音した該ＩＤ番号を付した音声データを読み出し、制御手段を介して音声出力手段に供給して録音再生し、該録音再生の終了した音声データを録音手段から順次削除すると共に、待ち行列に登録したＩＤ番号を順次削除し、更に音声入力手段からキャンセルのＩＤ番号が入力された場合、録音手段から当該ＩＤ番号を付した音声データを削除すると共に、待ち行列に登録したＩＤ番号を削除する録音再生制御手段を設けたので、音声入力手段からの音声出力要求の処理中に別の音声入力手段から音声出力要求が発生した場合、ページング機能の動作が終了するのを待って改めてページング操作を行わなければならない煩わしさを解消することができ、音声情報再生装置のマンマシンインタフェースの効率を向上させることができ、更に一旦録音手段に録音した音声データも音声入力手段からキャンセルのＩＤ番号が入力されることにより、当該ＩＤ番号を付した音声データは削除されるから不必要になった音声データが音声出力から再生出力されることはないという優れた効果が得られるのである。
【図面の簡単な説明】
【図１】本発明の音声情報発生装置をボタン電話装置に適用した例を示す図である。
【図２】ペ−ジングアクセスの処理フロ−を示す図である。
【図３】音声の再生処理フロ−を示す図である。
【図４】録音をキャンセルする処理フロ−を示す図である。
【図５】従来の音声情報発生装置をボタン電話装置に適用した例を示す図である。
【符号の説明】
１          主装置
１−１      中央制御部
１−１−１  ＣＰＵ（中央処理装置）
１−１−２  ＲＯＭ（リ−ド・オンリ−・メモリ）
１−１−３  ＲＡＭ（ランダム・アクセス・メモリ）
１−２      ペ−ジング回路
１−３      通話スイッチ系回路
１−４      電話機制御回路
１−５      局線系処理回路
２          ペ−ジングスピ−カ
３−１      電話機
３−２      電話機
４          局線
【図１】
0003710537.tif 000002
【図２】
0003710537.tif 000003
【図３】
0003710537.tif 000004
【図４】
0003710537.tif 000005
【図５】
0003710537.tif 000006